(57)【要約】【課題】    本発明の目的は、簡単な構成を付加することにより循環空気に消臭効果を発揮することができるサーキューレーター装置を提供するものである。【解決手段】    サーキューレーター装置２は、部屋内に設置され、消臭剤２１１を収納すると共に、消臭剤２１１からの消臭成分を含んだ空気を排出する消臭空気排出口２１２を有した容器２１と、前記部屋内に設置された載置台３に載置され、容器２１を覆う覆い部材２２と、この覆い部材２２の天井面２２１に載置され、前記部屋内の空気を循環させるサーキューレーター４とを備えているものである。【選択図】図１
2020058685.tif 000002
【特許請求の範囲】
【請求項１】
消臭剤を収納すると共に、前記消臭剤からの消臭成分を含んだ空気を排出する消臭空気排出口を有した容器と、
載置台に載置され、前記容器を覆う覆い部材と、
この覆い部材の天井面に載置され、部屋内の空気を循環させるサーキューレーターとを備え、
前記覆い部材には、前記覆い部材内に前記部屋内の空気を取り入れる取り入れ口と、前記覆い部材内の空気を前記部屋内へ排出する排出口とを有し、
前記排出口は、前記サーキューレーターの吸い込み側に臨む位置にある
ことを特徴とするサーキューレーター装置。
【請求項２】
容器は、天井面が開放したものであり、
覆い部材は、無底か、又は、前記覆い部材が有底の場合、前記覆い部材の天井面が前記覆い部材に対して着脱自在である
ことを特徴とする請求項１記載のサーキューレーター装置。
【請求項３】
部屋内を冷房又は暖房するエアコンと、
前記部屋内に設置され、消臭剤を収納すると共に、前記消臭剤からの消臭成分を含んだ空気を排出する消臭空気排出口を有した容器と、
前記部屋内に設置された載置台に載置され、前記容器を覆う覆い部材と、
この覆い部材の天井面に載置され、前記部屋内の空気を循環させるサーキューレーターとを備え、
前記覆い部材には、前記覆い部材内に前記部屋内の空気を取り入れる取り入れ口と、前記覆い部材内の空気を前記部屋内へ排出する排出口とを有し、
前記排出口は、前記サーキューレーターの吸い込み側に臨む位置にあり、前記サーキューレーターの排風を前記エアコンが吸い込むように配置している
ことを特徴とする部屋の消臭装置。
【請求項４】
部屋内を冷房又は暖房するエアコンと、
前記部屋内に設置され、消臭剤を収納すると共に、前記消臭剤からの消臭成分を含んだ空気を排出する消臭空気排出口を有した容器と、
前記部屋内に設置された載置台に載置され、前記容器を覆う覆い部材と、
この覆い部材の天井面に載置され、前記部屋内の空気を循環させるサーキューレーターとを備え、
前記覆い部材には、前記覆い部材内に前記部屋内の空気を取り入れる取り入れ口と、前記覆い部材内の空気を前記部屋内へ排出する排出口とを有し、
前記排出口は、前記サーキューレーターの吸い込み側に臨む位置にあり、前記サーキューレーターの排風を前記エアコンが吸い込む
ことを特徴とする部屋の消臭方法。
【発明の詳細な説明】
【技術分野】
【０００１】
本発明は、サーキューレーター装置、部屋の消臭装置及び部屋の消臭方法に係り、特に、簡単な構成を付加することにより循環空気に消臭効果を発揮することができるサーキューレーター装置、部屋の消臭装置及び部屋の消臭方法に関する。
【背景技術】
【０００２】
部屋内を消臭するものとして、例えば、エアコン内に消臭剤を組み込んだ消臭エアコンがある（例えば、特許文献参照）。
【先行技術文献】
【特許文献】
【０００３】
【特許文献１】実開昭５９−１８２０１３号公報
【発明の概要】
【発明が解決しようとする課題】
【０００４】
しかしながら、上記消臭エアコンは、エアコン内に消臭剤を組み込んでいるため、
消臭剤を供給する際には、エアコンの前面パネル等を取り外して行うため、取付が面倒であると共に、エアコン内のファンだけでは、部屋内の空気を循環させるには不十分であるという問題点があった。
【０００５】
本発明は、上記問題点を考慮してなされたもので、消臭剤とサーキューレーターを組み合わせたサーキューレーター装置、部屋の消臭装置及び部屋の消臭方法を提供することを目的とする。
【課題を解決するための手段】
【０００６】
請求項１記載のサーキューレーター装置は、消臭剤を収納すると共に、前記消臭剤からの消臭成分を含んだ空気を排出する消臭空気排出口を有した容器と、載置台に載置され、前記容器を覆う覆い部材と、この覆い部材の天井面に載置され、部屋内の空気を循環させるサーキューレーターとを備え、前記覆い部材には、前記覆い部材内に前記部屋内の空気を取り入れる取り入れ口と、前記覆い部材内の空気を前記部屋内へ排出する排出口とを有し、前記排出口は、前記サーキューレーターの吸い込み側に臨む位置にある。
【０００７】
また、請求項２記載のサーキューレーター装置は、請求項１記載のサーキューレーター装置は、容器は、天井面が開放したものであり、覆い部材は、無底か、又は、前記覆い部材が有底の場合、前記覆い部材の天井面が前記覆い部材に対して着脱自在である。
【０００８】
また、請求項３記載の部屋の消臭装置は、部屋内を冷房又は暖房するエアコンと、前記部屋内に設置され、消臭剤を収納すると共に、前記消臭剤からの消臭成分を含んだ空気を排出する消臭空気排出口を有した容器と、前記部屋内に設置された載置台に載置され、前記容器を覆う覆い部材と、この覆い部材の天井面に載置され、前記部屋内の空気を循環させるサーキューレーターとを備え、前記覆い部材には、前記覆い部材内に前記部屋内の空気を取り入れる取り入れ口と、前記覆い部材内の空気を前記部屋内へ排出する排出口とを有し、前記排出口は、前記サーキューレーターの吸い込み側に臨む位置にあり、前記サーキューレーターの排風を前記エアコンが吸い込むように配置しているものである。
【０００９】
また、請求項４記載の部屋の消臭方法は、部屋内を冷房又は暖房するエアコンと、前記部屋内に設置され、消臭剤を収納すると共に、前記消臭剤からの消臭成分を含んだ空気を排出する消臭空気排出口を有した容器と、前記部屋内に設置された載置台に載置され、前記容器を覆う覆い部材と、この覆い部材の天井面に載置され、前記部屋内の空気を循環させるサーキューレーターとを備え、前記覆い部材には、前記覆い部材内に前記部屋内の空気を取り入れる取り入れ口と、前記覆い部材内の空気を前記部屋内へ排出する排出口とを有し、前記排出口は、前記サーキューレーターの吸い込み側に臨む位置にあり、前記サーキューレーターの排風を前記エアコンが吸い込むものである。
【発明の効果】
【００１０】
請求項１記載のサーキューレーター装置によれば、サーキューレーターの吸い込み側に臨む位置に覆い部材の排出口があるため、消臭成分を含んだ空気が部屋に放出され、部屋内の空気を循環させると共に、消臭効果を部屋内に及ぼすことができ、しかも、その効果は、「消臭剤からの消臭成分を含んだ空気を排出する消臭空気排出口を有した容器」と、「前記容器を覆うと共に、取り入れ口と排出口とを有した覆い部材」との簡単な構成で得ることができる。
【００１１】
また、請求項２記載のサーキューレーター装置によれば、上述した請求項１記載の発明の効果に加え、容器は、天井面が開放したものであり、覆い部材は、無底か、又は、前記覆い部材が有底の場合、前記覆い部材の天井面が前記覆い部材に対して着脱自在であるため、容器の取り付け、取り外しが極めて容易である。
【００１２】
また、請求項３記載の部屋の消臭装置によれば、サーキューレーターの吸い込み側に臨む位置に覆い部材の排出口があり、サーキューレーターの排風をエアコンが吸い込むように配置しているため、消臭成分を含んだ空気が部屋内に放出され、部屋内の空気を循環させると共に、消臭効果を部屋内に及ぼすことができ、しかも、その効果は、「消臭剤からの消臭成分を含んだ空気を排出する消臭空気排出口を有した容器」と、「前記容器を覆うと共に、取り入れ口と排出口とを有した覆い部材」との簡単な構成で得ることができる。
【００１３】
また、請求項４記載の部屋の消臭方法によれば、サーキューレーターの吸い込み側に臨む位置に覆い部材の排出口があり、サーキューレーターの排風をエアコンが吸い込むように配置しているため、消臭成分を含んだ空気が部屋内に放出され、部屋内の空気を循環させると共に、消臭効果を部屋内に及ぼすことができ、しかも、その効果は、「消臭剤からの消臭成分を含んだ空気を排出する消臭空気排出口を有した容器」と、「前記容器を覆うと共に、取り入れ口と排出口とを有した覆い部材」との簡単な構成で得ることができる。
【図面の簡単な説明】
【００１４】
【図１】図１は、本発明の一実施例の部屋の消臭装置の使用例を示す概略的断面図である。
【図２】図２は、図１のサーキューレーター装置の概略的斜視図である。
【図３】図３は、図２のサーキューレーター装置を分解して示す概略的分解斜視図である。
【図４】図４は、図２のサーキューレーター装置の概略的正面図である。
【図５】図５は、図４の５−５線による概略的断面図である。
【図６】図６は、図１の一部を拡大して示す概略的一部拡大断面図である。
【発明を実施するための形態】
【００１５】
本発明の一実施例のサーキューレーター装置、部屋の消臭装置及び部屋の消臭方法を図１乃至図６を参照して説明する。
【００１６】
図１に示すＡは部屋の消臭装置で、部屋の消臭装置Ａは、部屋内を冷房又は暖房するエアコン１と、サーキューレーター装置２とを備えている。
【００１７】
サーキューレーター装置２は、部屋内に設置され、消臭剤２１１を収納すると共に、消臭剤２１１からの消臭成分を含んだ空気を排出する消臭空気排出口２１２を有した容器２１と、前記部屋内に設置された載置台３（例えば、床、床以外には、テーブル等でも良い。）に載置され、容器２１を覆う覆い部材２２と、この覆い部材２２の天井面２２１に載置され、前記部屋内の空気を循環させるサーキューレーター４とを備えている。
なお、容器２１は、天井面が開放し、覆い部材２２は、無底となっている。また、消臭剤２１１は、例えば、消臭液を吸収した吸水性樹脂粒状物（吸水性樹脂粒状物は、言い換えれば、吸水性ポリマ−に消臭液剤を含浸させたもの）である。
また、本実施例では、容器２１は無底となっているが、覆い部材２２に底を設け（有底）、天井面を着脱自在に設け、天井面を開閉して覆い部材２２内に消臭剤２１１を収納した容器２１を出し入れするようにしても良い。
【００１８】
そして、覆い部材２２には、覆い部材２２内に前記部屋内の空気を取り入れる取り入れ口２２２と、覆い部材２２内の空気を前記部屋内へ排出する排出口２２３とを有し、図１に示すように、排出口２２３は、サーキューレーター４の吸い込み側に臨む位置にあり、サーキューレーター４の排風をエアコン１が吸い込むように配置している。
【００１９】
従って、上述した部屋の消臭装置（部屋の消臭方法）によれば、サーキューレーター４の吸い込み側に臨む位置に覆い部材２２の排出口２２３があり、サーキューレーター４の排風をエアコン１が吸い込むように配置しているため、消臭成分を含んだ空気が部屋内に放出され、部屋内の空気を循環させると共に、消臭効果を部屋内に及ぼすことができ、しかも、その効果は、「消臭剤２１１からの消臭成分を含んだ空気を排出する消臭空気排出口２１２を有した容器２１」と、「容器２１を覆うと共に、取り入れ口２２２と排出口２２３とを有した覆い部材２２」との簡単な構成で得ることができる。
【００２０】
上述した実施例においては、エアコン１のある部屋の例を挙げたが、本願発明にあっては、これに限らず、エアコン１は必ずしも必要ではない。
【００２１】
即ち、サーキューレーター装置４は、消臭剤２１１を収納すると共に、消臭剤２１１からの消臭成分を含んだ空気を排出する消臭空気排出口２１２を有した容器２１と、載置台３に載置され、容器２１を覆う覆い部材２２と、この覆い部材２２の天井面２２１に載置され、部屋内の空気を循環させるサーキューレーター４とを備え、覆い部材２２には、覆い部材２２内に前記部屋内の空気を取り入れる取り入れ口２２２と、覆い部材２２内の空気を前記部屋内へ排出する排出口２２３とを有し、排出口２２３は、サーキューレーター４の吸い込み側に臨む位置にあるようにしても良い。つまり、図１記載からエアコン１を排除したものでも良い。
【００２２】
このサーキューレーター装置４によれば、サーキューレーター４の吸い込み側に臨む位置に覆い部材２２の排出口２２３があるため、消臭成分を含んだ空気が部屋に放出して、部屋内の空気を循環させると共に、消臭効果を部屋内に及ぼすことができ、しかも、その効果は、「消臭剤２１１からの消臭成分を含んだ空気を排出する消臭空気排出口２１２を有した容器２１」と、「容器２１を覆うと共に、取り入れ口２２２と排出口２２３とを有した覆い部材２２」との簡単な構成で得ることができる。
【００２３】
また、覆い部材２２は、図３に示すように、覆い部材本体２２０、天井面２２１、排出ガイド体２２４とを有し、これら覆い部材本体２２０、天井面２２１、排出ガイド体２２４は、個別に形成されているが、一体に形成されても良い。
【符号の説明】
【００２４】
２      サーキューレーター装置
３      載置台
４      サーキューレーター
２１    容器
２２    覆い部材
２１１  消臭剤
２１２  消臭空気排出口
２２１  天井面
【図１】
2020058685.tif 000003
【図２】
2020058685.tif 000004
【図３】
2020058685.tif 000005
【図４】
2020058685.tif 000006
【図５】
2020058685.tif 000007
【図６】
2020058685.tif 000008